(57)【特許請求の範囲】
【請求項１】
開口を有する金属板材の外面を前記開口を含めて保護シートで被覆することでアンテナ板が構成され、
このアンテナ板が、基材の外面に沿って巻付けられている
ことを特徴とする金属板材を巻付けた部材。
【請求項２】
前記金属板材の開口が、アンテナパターン用の開口である
ことを特徴とする請求項１記載の金属板材を巻付けた部材。
【請求項３】
前記基材が、雨水を流すための樋体である
ことを特徴とする請求項１または請求項２記載の金属板材を巻付けた部材。
【請求項４】
前記アンテナ板を前記基材の外面に巻付けた状態で接着する
ことを特徴とする請求項１〜３のいずれか一項に記載の金属板材を巻付けた部材。
【請求項５】
前記アンテナ板を前記基材の外面に巻付けた状態で取付部材で取り付ける
ことを特徴とする請求項１〜３のいずれか一項に記載の金属板材を巻付けた部材。
【発明の詳細な説明】
【技術分野】
【０００１】
本発明は、金属板材を巻付けた部材に関する。
【背景技術】
【０００２】
特許文献１には、合成樹脂製軒樋の外面にアンテナパターンを有する金属薄膜を貼り付けたアンテナ付き軒樋が開示されている。
【０００３】
アンテナパターンは金属薄膜に開口を設けることで形成される。
【先行技術文献】
【特許文献】
【０００４】
【特許文献１】特開平３−８４１５６号公報
【発明の概要】
【発明が解決しようとする課題】
【０００５】
特許文献１に示された従来例は以下の問題点がある。
【０００６】
開口を有する金属薄膜を軒樋外面に沿って曲げて貼り付ける際、開口の縁部分は軒樋外面から離れる方向に反る力が生じ、接着剤で接着しようとしても、接着が十分におこなわれず、剥離したり、変形しやすいという問題がある。
【０００７】
また、金属薄膜が外部に露出し、錆の発生のおそれがある。
【０００８】
本発明の目的は、金属板材を保護し、且つ、基材の外面に沿って巻付けても開口の縁部分が基材の外面から離れる方向に反る力が生じ難く、正確に巻き付けることが可能な金属板材を巻付けた部材を提供するにある。
【課題を解決するための手段】
【０００９】
本発明の金属板材を巻付けた部材は、開口を有する金属板材の外面を前記開口を含めて保護シートで被覆することでアンテナ板が構成され、このアンテナ板が、基材の外面に沿って巻付けられていることを特徴とする。
【００１０】
また、前記金属板材の開口が、アンテナパターン用の開口であることが好ましい。
また、前記基材が、雨水を流すための樋体であることが好ましい。
【００１１】
また、前記保護シート被覆金属板を前記基材の外面に巻付けた状態で接着することが好ましい。
【００１２】
また、前記保護シート被覆金属板を前記基材の外面に巻付けた状態で取付部材で取付けることが好ましい。
【発明の効果】
【００１３】
本発明は、金属板材の外面が開口を含めて保護シートで被覆されるので、基材の外面に沿って巻付けられても、開口の縁部分が基材外面から離れる方向に反り難くすることが可能となる。これにより、開口を有する金属板材を基材の外面に正確に巻付けることが可能となる。また、保護シートで開口を有する金属板材が錆びないように保護できる。
【図面の簡単な説明】
【００１４】
【図１】本発明の一実施形態の断面図である。
【図２】同上の一部省略全体斜視図である。
【図３】同上の一部破断した斜視図である。
【図４】（ａ）は同上に用いるアンテナ板の折り曲げる前の断面図であり、（ｂ）は折り曲げた状態を示す表面側から見た斜視図であり、（ｃ）は背面側から見た斜視図である。
【図５】同上に用いる取付部材の斜視図である。
【図６】同上に用いる同軸ケーブルの斜視図である。
【図７】同上の施工状態を示す側面図である。
【発明を実施するための形態】
【００１５】
添付図面に基づいて一実施形態を説明する。
【００１６】
保護シート被覆金属板５は、開口６を有する金属板材３の外面（両外面又は片側の外面）を開口６を含めて保護シート４で被覆することで形成される。
【００１７】
金属板材３は、薄い金属板材（金属箔も含まれる）であり、この金属板材３に切欠き、穴等を形成することで開口が形成される。
【００１８】
開口を含めて保護シート４で金属板材３を被覆するには、合成樹脂シートを金属板材３に接着剤、溶着等により接着したり、あるいは、開口６を有する金属板材３に保護シート４を構成する合成樹脂層を一体に積層形成することで被覆する。
【００１９】
保護シート被覆金属板５は、基材１の外面に沿って巻付けられ、巻付けられた状態で、接着又は取付部材８で基材１に固定される。
【００２０】
以下の実施形態は、保護シート被覆金属板５であるアンテナ板７を、基材１を構成する樋体１０の外面に巻付けて固定することで形成されるアンテナ付き樋２２の例で説明する。
【００２１】
本実施形態でアンテナパターン２は、導電性の薄肉の金属板材３に開口６を形成することで形成される。図４にはアンテナパターン２としてスロットアンテナパターンの例が示してある。このスロットアンテナパターンは、導電性の縦長矩形状の薄い金属板材３（金属箔も含まれる）に開口６となる細長いスロット２８を設けることで形成される。
【００２２】
また、図４の実施形態では、金属板材３に開口６となるスロット２８が上下方向に複数並べて設けられており、隣接するスロット２８同士は細溝２５で接続されている。各スロット２８は三角形の頂点を互いに突き合わせたようなボウタイ形状に形成されている。
【００２３】
アンテナパターン２は、第一の周波数帯（例えば４７３〜６００ＭＨｚ）の電波を受信する第一の受信部２９と、第二の周波数帯（例えば６００〜７２０ＭＨｚ）の電波を受信する第二の受信部３０を有している。
【００２４】
第一の受信部２９は、スロット２８及び当該スロット２８の周縁部により構成される。第二の受信部３０は、このスロット２８に対し上下方向に隣接する金属板材３部分により構成される。
【００２５】
第一の受信部２９を構成するスロット２８の上下方向の長さは、前記第一の周波数帯内の電波の電気的な半波長の長さと同じである。また、第二の受信部３０の周方向の長さは、前記第二の周波数帯内の電波の電気的な半波長の長さと同じである。
【００２６】
すなわち、第一の周波数帯内の中心周波数が５３６．５ＭＨｚであり、第一の周波数帯内の電波の電気的な半波長λ／２は約２８ｃｍであることから、各スロット２８の上下方向の長さは約２８ｃｍとなっている。また、第二の周波数帯の中心周波数が６６０ＭＨｚであり、第二の周波数帯内の電波の電気的な半波長λ／２は約２３ｃｍであることから、第二の受信部３０の周方向の長さは約２３ｃｍとなっている。
【００２７】
金属板材３のスロット２８の両側の三角形の頂点部分がそれぞれ給電部９となっている。
【００２８】
保護シート４は、例えばＰＥＴのような電気絶縁性を有する合成樹脂フィルムであり、この合成樹脂フィルムが金属板材３の表裏両面又は表面に重ねて接着されることで、金属板材３が外部（少なくとも表面側の）に露出しないように保護シート４で被覆される。この場合、スロット２８部分も保護シート４で被覆される。なお、保護シート４の厚みは例えば、０．１〜０．３ｍｍであるが、これに限定されるものではない。
これにより、保護シート４は、アンテナパターン２を備えた金属板材３を保護し、錆び等が発生しないようにする。
【００２９】
給電部９には給電ケーブル１１が接続される。
【００３０】
給電部９に接続する給電ケーブル１１は同軸ケーブルである。この同軸ケーブルは、内側の芯線３２の外側を芯線外皮部３３で覆い、芯線外皮部３３の外周に編線３４で覆い、更に編線３４を外側外皮部３５で覆っている。
【００３１】
給電ケーブル１１の端部は、図６のように、外側外皮部３５を除去して編線３４の端部が露出した部分が形成され、編線３４の端部より突出して芯線外皮部３３が露出する部分が形成され、更に、芯線外皮部３３の端部より芯線３２が突出する部分が形成される。
【００３２】
給電ケーブル１１における芯線３２の端部が一方の給電部９に接続され、編線３４の端部が他方の給電部９に接続される。
【００３３】
接続に当っては、例えば、保護シート被覆金属板５の表面側の保護シート４の給電部９に対応する部分を剥離して給電部９における金属板材３を露出させ、この露出面に半田付けなどの任意の接続手段で上記芯線３２、編線３４を接続することが考えられる。
【００３４】
もちろん、ビス、ナットを用いて接続してもよく、あるいは、接続金具を用いて接続してもよい。
【００３５】
前記のように、給電ケーブル１１を接続した状態のアンテナ板７は、水平断面Ｃ字状又は多角形状となるよう上下方向に一様に湾曲させて円筒状又は角筒状をした樋体１０の外周面に巻付けて重ね、接着剤や取付部材８を用いて固定される。
【００３６】
アンテナ板７を樋体１０の外周面に巻付けて固定する際、金属板材３の外面が開口６であるスロット２８を含めて保護シート４で被覆されるので、スロット２８の縁部分が樋体１０外面から離れる方向に反り難くすることが可能となる。
【００３７】
これにより、アンテナ板７が樋体１０外面への巻付けが容易に且つ正確に行われ、接着剤や取付部材８で正確に固定されることになり、アンテナパターン２が変形したりせず、受信性能の低下を抑制することが可能となる。
【００３８】
また、開口６を含め金属板材３が保護シート４で被覆されるので、開口６を有する金属板材３が保護され、特に、開口６であるスロット２８の縁部分に位置する金属板材３の切断端面が保護され、錆の発生が抑制される。
【００３９】
ここで、図４のように金属板材３の外周端を越えて保護シート４で被覆すると、金属板材３の外周端の切断端面が保護され、錆の発生が抑制される。
【００４０】
また、金属板材３の開口６の縁部分の切断端面や外周端の切断端面が保護シート４で被覆され、且つ、開口６も含めて被覆されることで、巻付け作業時に切断端面で手指を傷付けるのが抑制される。
【００４１】
添付図面に示す実施形態は、図５に示すような取付部材８を用いて図２、図３に示すように取付けた例を示している。
【００４２】
前述のように給電部９に機械的、電気的に接続された給電ケーブル１１は樋体１０の外面に巻付けられたアンテナ板７の外面に樋体１０の軸方向に沿って配置される。
【００４３】
軸方向に沿って配置するに当っては、スロット２８を避けて配置される。
【００４４】
アンテナ板７を樋体１０の外周面に取付けるための取付部材８は、非導電性の合成樹脂のような非導電性材料により形成されている。また、図５のように、取付部材８は、一対の半体３８の一端部同士を軸受部３９で回動自在に連結して構成され、一対の半体３８の他端部の係止部４０と被係止部４１が係止自在となっている。
【００４５】
取付部材８は、給電ケーブル１１のアンテナ板７に対する位置を保持するケーブル保持部４２を備え、このケーブル保持部４２に給電ケーブル１１が保持される。
【００４６】
また、各取付部材８は、径外方向に突出する複数の突出部を有する。本実施形態の取付部材８は、軸受部３９と、係止部４０及び被係止部４１と、ケーブル保持部４２との計４箇所の突出部を有する。突出部は周方向に等間隔で配置されており、すなわち９０°ごとに径外方向に突出する。
【００４７】
外周にアンテナ板７を巻付けた樋体１０に外筒部２３を被せることで、二重筒構造のアンテナ付き樋２２が構成される。
【００４８】
外周にアンテナ板７を巻いた樋体１０に外筒部２３を被せると、取付部材８に突出部を設けているので、外筒部２３の略中心に樋体１０と樋体１０に設けられたアンテナ板７の中心が配置されると共に、外筒部２３の内周面に当接又は近接対向するようになる。
【００４９】
このように、外筒部２３によりアンテナ板７が覆われることで、アンテナ板７が雨水、外気、太陽光に晒されず、劣化が抑制される。
【００５０】
二重筒構造のアンテナ付き樋２２は、長手方向の端部に、接続体２４が備えられ、上下の接続体２４に樋体１０と、外筒部２３の上下方向の両端部が接続され、上下の接続体２４は樋体１０に連通する。
【００５１】
樋体１０の軸方向に沿った給電ケーブル１１は、接続体２４に設けた引出部４３に至り、給電ケーブル１１の端部に設けた接続具４４が引出部４３を構成する孔に嵌め込んで取付けられる。
【００５２】
接続具４４には、テレビ側ケーブル４５の端部に設けた接続具が電気的に接続される。このテレビ側ケーブル４５は、建物４６の外壁４７や軒天井４８から建物内に導入され、既存の建物４６内のテレビ側に接続される。
【００５３】
図７は、アンテナ付き樋２２が竪樋の一部として用いられた例を示している。図７において、符号４９は軒樋、５０は集水器、５１はエルボ、５２は呼び樋、５３は一般の竪樋を示している。
【００５４】
アンテナ付き樋２２を竪樋の一部として用いる場合、アンテナ付き樋２２の接続体２４を一般の竪樋５３やエルボ５１に接続し、筒状をした樋体１０内に雨水を流す。
【００５５】
接続の際、アンテナ付き樋２２を軸芯を中心に回転して、アンテナパターン２を最も強い受信方向に向ける。
【００５６】
前述の実施形態においては、外筒部２３を設けた例で説明したが、外筒部２３を設けないものであってもよい。外筒部２３を設けない場合、金属板材３は保護シート４で覆われるので、金属板材３は雨水、外気、太陽光にさらされず、アンテナパターン２の劣化を抑制できる。
【００５７】
また、前述の実施形態ではアンテナ板７を巻付ける樋体１０として円筒状又は角筒状の竪樋の例を示したが、必ずしもこれにのみ限定されない。
【００５８】
例えば、アンテナ板７を巻付ける樋体１０が呼び樋、軒樋などであってもよい。
【００５９】
また、前述の各実施形態は、保護シート被覆金属板５がアンテナ板７、基材１が樋体１０の例を示したが、これにのみ限定されないのは勿論である。
【符号の説明】
【００６０】
１  基材
２  アンテナパターン
３  金属板材
４  保護シート
５  保護シート被覆金属板
６  開口
７  アンテナ板
８  取付部材
【図１】
0005699281.tif 000002
【図２】
0005699281.tif 000003
【図３】
0005699281.tif 000004
【図４】
0005699281.tif 000005
【図５】
0005699281.tif 000006
【図６】
0005699281.tif 000007
【図７】
0005699281.tif 000008